(57)【要約】【課題】  煩雑な選択操作を要することなく所望の放送を選択できる受信装置を提供すること。【解決手段】  受信装置１は、放送に関する付加情報および主情報を含む複数の放送データの中から、選択された放送データを受信するチューナ部２と、付加情報の登録モードを選択するモード選択手段と、現在受信している放送データに関する付加情報のうち、モード選択手段によって選択された登録モードに対応する付加情報を登録する登録手段と、登録手段によって登録された複数の付加情報の中から、１つの付加情報を選択する選択手段と、選択手段によって選択された付加情報に一致する付加情報を含む放送を検索する検索手段と、検索手段によって検索された放送の放送データを受信するように該受信手段を制御する制御手段とを備える。【選択図】図５
2007174141.tif 000002
【特許請求の範囲】
【請求項１】
放送に関する付加情報および主情報を含む複数の放送の中から、選択された放送を受信する受信手段と、
該付加情報の登録モードを選択するモード選択手段と、
現在受信している放送に関する付加情報のうち、該モード選択手段によって選択された登録モードに対応する付加情報を登録する登録手段と、
該登録手段によって登録された複数の付加情報の中から、１つの付加情報を選択する選択手段と、
該選択手段によって選択された付加情報に一致する付加情報を有する放送を検索する検索手段と、
該検索手段によって検索された放送を受信するよう該受信手段を制御する制御手段とを備える、受信装置。
【請求項２】
複数の付加情報を登録するためのプリセットテーブルをさらに備え、
前記登録手段が該プリセットテーブルに前記モード選択手段によって選択された登録モードと、該登録モードに対応する付加情報とを登録し、
前記検索手段が、該プリセットテーブルに登録された付加情報に一致する付加情報を有する放送を検索する、請求項１に記載の受信装置。
【請求項３】
受信可能な全放送の付加情報を登録するための放送テーブルと、
該全放送の付加情報を該放送テーブルに登録する放送テーブル登録手段とをさらに備え、
前記登録手段が、該放送テーブルに登録された付加情報に基づいて、該付加情報を前記プリセットテーブルに登録し、
前記検索手段が、該放送テーブルの中から放送を検索する、請求項２に記載の受信装置。
【請求項４】
前記付加情報が放送カテゴリを含み、
前記放送テーブル登録手段が、前記放送テーブルに該放送カテゴリの識別番号をさらに登録し、
前記登録手段が、前記プリセットテーブルに該放送カテゴリの識別番号をさらに登録し、
前記検索手段が、該プリセットテーブルに登録された該放送カテゴリの識別番号と一致する該放送カテゴリの識別番号を有する放送を該放送テーブルの中から検索する、請求項３に記載の受信装置。
【請求項５】
前記付加情報が放送局の情報を含み、
前記放送テーブル登録手段が、前記放送テーブルに該放送局の識別番号をさらに登録し、
前記登録手段が、前記プリセットテーブルに該放送局の識別番号をさらに登録し、
前記検索手段が、該プリセットテーブルに登録された該放送局の識別番号と一致する該放送局の識別番号を有する放送を該放送テーブルの中から検索する、請求項３に記載の受信装置。
【請求項６】
前記プリセットテーブルがプリセット番号に対応付けて前記複数の付加情報を登録可能であり、
前記選択手段が該プリセット番号を選択することにより、複数の付加情報の中から１つの付加情報を選択する、請求項２〜５のいずれかに記載の受信装置。
【請求項７】
前記プリセット番号と、前記検索手段によって検索された放送とを登録するための放送検索テーブルと、
前記検索手段が放送を検索したあとに、該選択手段によって選択されたプリセット番号と、該検索手段によって検索された放送とを、該放送検索テーブルに登録する手段と、
前記選択手段によって該プリセット番号が選択された場合に、該選択されたプリセット番号が該放送検索テーブルに登録されているプリセット番号と同じであるかを判断する判断手段とをさらに備え、
該判断手段が同じであると判断した場合、該検索手段が、該プリセット番号に対応する付加情報と一致する付加情報を有する複数の放送の中から、該放送検索テーブルに登録されている放送とは異なる放送を検索する、請求項６に記載の受信装置。
【請求項８】
前記付加情報が放送の識別番号を含み、
前記放送テーブル登録手段が、前記放送テーブルに該放送の識別番号をさらに登録し、
前記登録手段が、前記プリセットテーブルに該放送の識別番号をさらに登録し、
前記選択手段によって選択されたプリセット番号が前記放送検索テーブルに登録されているプリセット番号と異なると前記判断手段が判断した場合、該検索手段が、該選択手段によって選択されたプリセット番号の放送の識別番号に一致する識別番号を有する放送を検索する、請求項７に記載の受信装置。
【請求項９】
前記付加情報が放送の識別番号を含み、
前記放送テーブル登録手段が、前記放送テーブルに該放送の識別番号をさらに登録し、
前記登録手段が、前記プリセットテーブルに該放送の識別番号をさらに登録し、
前記検索手段が前記放送を検索した後、該登録手段が該検索手段によって検索された放送の識別番号を該プリセットテーブルに登録する、請求項７に記載の受信装置。
【請求項１０】
放送に関する付加情報および主情報を含む複数の放送の中から、選択された放送を受信する受信手段を備える受信装置の放送検索プログラムであり、
該付加情報の登録モードを選択するモード選択ステップと、
現在受信している放送に関する付加情報のうち、該モード選択ステップによって選択された登録モードに対応する付加情報を登録する登録ステップと、
該登録ステップによって登録された複数の付加情報の中から、１つの付加情報を選択する選択ステップと、
該選択ステップによって選択された付加情報に一致する付加情報を有する放送を検索する検索ステップとをコンピュータに実行させる、放送検索プログラム。
【請求項１１】
前記登録ステップにおいて、プリセットテーブルに前記モード選択ステップによって選択された登録モードと、該登録モードに対応する付加情報とが登録され、
前記検索ステップにおいて、該プリセットテーブルに登録された付加情報に一致する付加情報を有する放送を検索する、請求項１０に記載の放送検索プログラム。
【請求項１２】
受信可能な全放送の付加情報を放送テーブルに登録する放送テーブル登録ステップをさらにコンピュータに実行させ、
前記登録ステップにおいて、該放送テーブルに登録された付加情報に基づいて、該付加情報を前記プリセットテーブルに登録し、
前記検索ステップにおいて、該放送テーブルの中から放送を検索する、請求項１１に記載の放送検索プログラム。
【請求項１３】
前記付加情報が放送カテゴリを含み、
前記放送テーブル登録ステップにおいて、前記放送テーブルに該放送カテゴリの識別番号をさらに登録し、
前記登録ステップにおいて、前記プリセットテーブルに該放送カテゴリの識別番号をさらに登録し、
前記検索ステップにおいて、該プリセットテーブルに登録された該放送カテゴリの識別番号と一致する該放送カテゴリの識別番号を有する放送を該放送テーブルの中から検索する、請求項１２に記載の放送検索プログラム。
【請求項１４】
前記付加情報が放送局の情報を含み、
前記放送テーブル登録ステップにおいて、前記放送テーブルに該放送局の識別番号をさらに登録し、
前記登録ステップにおいて、前記プリセットテーブルに該放送局の識別番号をさらに登録し、
前記検索ステップにおいて、該プリセットテーブルに登録された該放送局の識別番号と一致する該放送局の識別番号を有する放送を該放送テーブルの中から検索する、請求項１２に記載の放送検索プログラム。
【請求項１５】
前記プリセットテーブルがプリセット番号に対応付けて前記複数の付加情報を登録可能であり、
前記選択ステップにおいて該プリセット番号を選択することにより、複数の付加情報の中から１つの付加情報を選択する、請求項１１〜１４のいずれかに記載の放送検索プログラム。
【請求項１６】
前記検索ステップにおいて放送を検索したあとに、該選択ステップによって選択されたプリセット番号と、該検索ステップによって検索された放送とを、放送検索テーブルに登録するステップと、
前記選択ステップによって該プリセット番号が選択された場合に、該選択されたプリセット番号が該放送検索テーブルに登録されているプリセット番号と同じであるかを判断する判断ステップとをさらにコンピュータに実行させ、
該判断ステップにおいて同じであると判断された場合、該検索ステップにおいて、該プリセット番号に対応する付加情報と一致する付加情報を有する複数の放送の中から、該放送検索テーブルに登録されている放送とは異なる放送を検索する、請求項１５に記載の放送検索プログラム。
【請求項１７】
前記付加情報が放送の識別番号を含み、
前記放送テーブル登録ステップにおいて、前記放送テーブルに該放送の識別番号をさらに登録し、
前記登録ステップにおいて、前記プリセットテーブルに該放送の識別番号をさらに登録し、
前記選択ステップによって選択されたプリセット番号が前記放送検索テーブルに登録されているプリセット番号と異なると前記判断ステップにおいて判断された場合、該検索ステップにおいて、該選択ステップによって選択されたプリセット番号に対応する放送の識別番号に一致する識別番号を有する放送を検索する、請求項１６に記載の放送検索プログラム。
【請求項１８】
放送に関する付加情報および主情報を含む複数の放送の中から、選択された放送を受信する受信ステップと、
該付加情報の登録モードを選択するモード選択ステップと、
現在受信している放送に関する付加情報のうち、該モード選択ステップによって選択された登録モードに対応する付加情報を登録する登録ステップと、
該登録ステップによって登録された複数の付加情報の中から、１つの付加情報を選択する選択ステップと、
該選択ステップによって選択された付加情報に一致する付加情報を有する放送を検索する検索ステップとを含む、放送検索方法。
【発明の詳細な説明】
【技術分野】
【０００１】
本発明は、音声情報または映像情報と、放送に関する付加情報とを含む放送データを受信する受信装置に関し、詳細には、所望の放送を容易に検索できる受信装置に関する。
【背景技術】
【０００２】
現在、音声情報と共に放送に関する付加情報を放送するデジタルラジオ放送が放送されている。例えば、ヨーロッパではデジタルラジオ放送として、ＤＡＢ（Ｄｉｇｉｔａｌ
Ａｕｄｉｏ Ｂｒｏａｄｃａｓｔｉｎｇ）が放送されている。同様に、ＴＶ放送に関しても、映像情報と共に付加情報を放送するデジタルテレビ放送（地上波デジタル放送やデジタル衛星放送）が放送されている。
【０００３】
デジタルラジオの付加情報は、放送に関する放送カテゴリ（ニュース、ドラマ、音楽、スポーツ等）、放送局名、放送言語、放送地域等を含む。付加情報は、表示部に表示されることによりユーザに放送に関する情報を伝達することや、所望の放送を検索する際に付加情報の値をキーワードにして、選択された付加情報を有する放送を自動検索することに利用されている。しかし、従来の付加情報を利用した放送の検索には、（１）付加情報の種類（放送カテゴリ、放送局等）の選択、および、（２）付加情報の値（放送カテゴリの場合、ニュース、ドラマ等）の選択という２段階の選択操作が必要であり、その操作が煩雑であるという問題を有する。
【０００４】
【特許文献１】特開２００２−１９８８４０
【発明の開示】
【発明が解決しようとする課題】
【０００５】
上記特許文献１は、次のような受信装置を記載する。番組の受信中にブックマークキー１４５を押したとき、制御部が、その番組の付加情報をブックマークデータとしてメモリに記録する。メモリに記録されているブックマークデータを検索データとして指示すると、制御部は、現在放送されている番組、または以後放送される番組の付加情報を順次検索して、付加情報中に検索データが含まれている番組を検出し、選局する。
【０００６】
しかし、ブックマークデータには複数の項目（放送局名、番組名、アーティスト名、ジャンル名）が存在するので、（１）ブックマークの項目を選択する、（２）選択された項目のブックマークのキーワード（番組名の場合、番組名の名称）を選択するという２段階の選択操作が必要であり、上記と同様に操作が煩雑であるという問題を有する。また、複数のブックマークデータをユーザが確認しながら検索する必要があるので、ブックマークデータが増えれば上記と同様にユーザが所望のブックマークデータを選択する操作が煩雑になる。さらに、ブックマークデータは文字データであり、文字データの比較によって放送を選局するので、このブックマークデータが大文字、小文字等の違いがある場合には、放送を選局できないという問題を有する。
【０００７】
本発明の目的は、煩雑な選択操作を要することなく所望の放送を容易に検索できる受信装置を提供することである。
【課題を解決するための手段】
【０００８】
本発明の好ましい実施形態による受信装置は、放送に関する付加情報および主情報を含む複数の放送の中から、選択された放送を受信する受信手段と、該付加情報の登録モードを選択するモード選択手段と、現在受信している放送に関する付加情報のうち、該モード選択手段によって選択された登録モードに対応する付加情報を登録する登録手段と、該登録手段によって登録された複数の付加情報の中から、１つの付加情報を選択する選択手段と、該選択手段によって選択された付加情報に一致する付加情報を有する放送を検索する検索手段と、該検索手段によって検索された放送を受信するよう該受信手段を制御する制御手段とを備える。
【０００９】
好ましくは、受信装置は、複数の付加情報を登録するためのプリセットテーブルをさらに備え、上記登録手段は、該プリセットテーブルに上記モード選択手段によって選択された登録モードと、該登録モードに対応する付加情報とを登録し、上記検索手段は、該プリセットテーブルに登録された付加情報に一致する付加情報を有する放送を検索する。
【００１０】
好ましくは、受信装置は、受信可能な全放送の付加情報を登録するための放送テーブルと、  該全放送の付加情報を該放送テーブルに登録する放送テーブル登録手段とをさらに備え、上記登録手段は、該放送テーブルに登録された付加情報に基づいて、該付加情報を前記プリセットテーブルに登録し、上記検索手段は、該放送テーブルの中から放送を検索する。
【００１１】
好ましくは、上記付加情報は放送カテゴリを含み、上記放送テーブル登録手段は、上記放送テーブルに該放送カテゴリの識別番号をさらに登録し、上記登録手段は、上記プリセットテーブルに該放送カテゴリの識別番号をさらに登録し、上記検索手段は、該プリセットテーブルに登録された該放送カテゴリの識別番号と一致する該放送カテゴリの識別番号を有する放送を該放送テーブルの中から検索する。
【００１２】
好ましくは、上記付加情報は放送局の情報を含み、上記放送テーブル登録手段は、上記放送テーブルに該放送局の識別番号をさらに登録し、上記登録手段は、上記プリセットテーブルに該放送局の識別番号をさらに登録し、上記検索手段は、該プリセットテーブルに登録された該放送局の識別番号と一致する該放送局の識別番号を有する放送を該放送テーブルの中から検索する。
【００１３】
好ましくは、上記プリセットテーブルはプリセット番号に対応付けて上記複数の付加情報を登録可能であり、上記選択手段は該プリセット番号を選択することにより、複数の付加情報の中から１つの付加情報を選択する。
【００１４】
好ましくは、受信装置は、上記プリセット番号と、上記検索手段によって検索された放送とを登録するための放送検索テーブルと、上記検索手段が放送を検索したあとに、該選択手段によって選択されたプリセット番号と、該検索手段によって検索された放送とを、該放送検索テーブルに登録する手段と、上記選択手段によって該プリセット番号が選択された場合に、該選択されたプリセット番号が該放送検索テーブルに登録されているプリセット番号と同じであるかを判断する判断手段とをさらに備え、該判断手段が同じであると判断した場合、該検索手段が、該プリセット番号に対応する付加情報と一致する付加情報を有する複数の放送の中から、該放送検索テーブルに登録されている放送とは異なる放送を検索する。
【００１５】
上記付加情報が放送の識別番号を含み、上記放送テーブル登録手段は、上記放送テーブルに該放送の識別番号をさらに登録し、上記登録手段は、上記プリセットテーブルに該放送の識別番号をさらに登録し、上記選択手段によって選択されたプリセット番号が上記放送検索テーブルに登録されているプリセット番号と異なると上記判断手段が判断した場合、該検索手段が、該選択手段によって選択されたプリセット番号の放送の識別番号に一致する識別番号を有する放送を検索する。
【００１６】
好ましくは、上記付加情報は放送の識別番号を含み、上記放送テーブル登録手段は上記放送テーブルに該放送の識別番号をさらに登録し、上記登録手段は、上記プリセットテーブルに該放送の識別番号をさらに登録する。上記検索手段が上記放送を検索した後、該登録手段が該検索手段によって検索された放送の識別番号を該プリセットテーブルに登録する。
【発明の効果】
【００１７】
放送データに含まれる付加情報をプリセット登録する際に、モード選択手段によって登録モードが選択される。選択された登録モードに対応する付加情報のみがプリセット登録される。プリセット呼出時には、複数の付加情報の中から選択された付加情報に一致する付加情報を有する放送が選択されて受信される。プリセット登録時に登録モードが選択され、登録モードに対応する付加情報のみがプリセット登録されるので、プリセット呼出時に登録モードを選択する必要がなく、検索操作が非常に容易になる。
【００１８】
プリセットテーブルに登録された登録モードと付加情報との両方に基づいて放送を検索することにより、異なる登録モードで重複する付加情報の名称が存在する場合でも、所望の放送を確実に検索できる。
【００１９】
プリセットテーブルにプリセット番号に対応付けて登録モードおよび付加情報が登録される場合、プリセット番号を選択するだけで、容易に所望の放送を検索できる。例えば、あるプリセット番号に放送カテゴリとしてニュースが登録されている場合には、当該プリセット番号が選択されるたびに、ニュースの放送のみが順次検索されて、ニュースの放送が順番に切り換えられながら受信される。あるプリセット番号に放送カテゴリとしてＡＡＡ放送局が登録されている場合には、当該プリセット番号が選択されるたびに、ＡＡＡ放送局の放送のみが順次検索されて、ＡＡＡ放送局の放送が順番に切り換えられながら受信される。
【発明を実施するための最良の形態】
【００２０】
以下、本発明の好ましい実施形態について、図面を参照して具体的に説明するが、本発明はこれらの実施形態には限定されない。本実施形態はデジタルラジオ放送の受信装置１について説明するが、デジタルテレビ放送についても同様である。図１は、本発明の好ましい実施形態による受信装置１を示す概略ブロック図である。受信装置１は、チューナー部２、マイコン処理部３、表示部４、入力部５およびオーディオ処理部６を備える。
【００２１】
チューナ部２は、アンテナ７で受信される複数の放送データの中から、マイコン処理部３からの指示に基づいて、１つの放送を選択して受信する。各放送は、通常、チャンネルと呼ばれているものである。また、ＤＡＢの場合は、１つの周波数帯域に複数の放送が含まれており、各放送はサービスと呼ばれている。チューナ部２は、受信した放送データのうち、音声情報をオーディオ処理部６に与え、付加情報をマイコン処理部３に与える。オーディオ処理部６は、受け取ったオーディオ情報を復号化およびデジタル／アナログ変換して、外部に接続されたスピーカー８に供給し音声を再生する。
【００２２】
チューナ部２が受信する放送のデータ構造の一例を図２に示す。放送のデータストリームは、パケット単位で送信されており、各パケットには音声情報（主情報）と付加情報とが含まれる。付加情報は、放送に関する種々の情報であり、例えば、放送の名称、放送カテゴリ、放送局名、放送言語、放送地域、アーティスト名等のメタデータ等を含む。音声情報および付加情報にはそれぞれＩＤが付与されているので、チューナ部２は受信したデータが音声情報であるか、付加情報であるかを識別して分離することができる。
【００２３】
マイコン処理部３は、受信装置１の全体の動作を制御するものであり、プリセット処理部９およびメモリ部１０を含む。マイコン処理部３は、メモリ部１０に格納された受信装置１の動作プログラムに基づいて、後述する受信装置１の各種処理を実行する。プリセット処理部９は、ユーザからのプリセット登録指示に応じて、プリセットテーブルに付加情報を登録する。また、プリセット処理部９は、ユーザからのプリセット呼出指示に応じて、プリセットテーブルに登録された付加情報に基づいて、放送テーブルから該当する放送を検索する。
【００２４】
メモリ部１０は下記表１に示す放送テーブルを格納している。
【表１】
2007174141.tif 000003
【００２５】
放送テーブルは、チューナ部２が受信可能な全放送の放送データに関する付加情報を登録するテーブルである。放送テーブルは、プリセット登録およびプリセット呼出の際に使用される。放送テーブルは、放送テーブル番号に対応付けて全放送の付加情報が登録される。放送テーブルには、付加情報として、放送（チャンネル）の識別番号、放送の名称（Ａ放送、Ｂ放送等）、および属性情報が登録される。属性情報は、放送の名称以外の付加情報であり、例えば、放送カテゴリおよび放送局の情報を含む。放送カテゴリは、放送の分類、種類を表すものであり、どの専門チャンネルであるかを表している。放送カテゴリは、例えば、ニュース、ドラマ、スポーツ、音楽等である。放送カテゴリとして、放送カテゴリ識別番号と放送カテゴリ名とが登録される。表１ではニュースの識別番号は１であり、ドラマの識別番号は２である。放送局は当該放送を放送している放送局の情報であり、放送局識別番号と放送局名とが登録される。表１の場合、放送テーブル番号１〜３の放送をＡＡＡ放送局が放送していることを表す。ＡＡＡ放送局の識別番号は１０であり、ＢＢＢ放送局の識別番号は３０である。
【００２６】
メモリ部１０は、下記表２に示すプリセットテーブルをさらに格納している。
【表２】
2007174141.tif 000004
【００２７】
プリセットテーブルは、放送データの付加情報をプリセット情報（プリセット情報は、放送のプリセット呼出に使用されるキーワードである）として登録するテーブルである。プリセットテーブルには、プリセット番号に対応付けて、複数の（表２では５つの）プリセット情報を登録可能であり、ユーザのプリセット登録指示に応じて付加情報が登録される。プリセットテーブルは、登録モード、キーワード、放送識別番号および放送カテゴリ／放送局識別番号の項目を含む。登録モードは、プリセット呼出の際にどの付加情報についてキーワードが一致する放送を検索するかを表す。登録モードには、放送、放送カテゴリまたは放送局のいずれかが登録される。キーワードは、プリセット呼出の際に、該キーワードと一致する付加情報を有する放送を検索するためのものである。例えば、登録モードが放送カテゴリである場合、キーワードにはニュース、ドラマ、スポーツ、音楽等が登録される。放送識別番号は、プリセット登録時に受信している放送の識別番号であり、プリセット呼出の際に最初に受信する放送を表す。放送カテゴリ／放送局識別番号は、放送カテゴリまたは放送局の識別番号である。この識別番号は、プリセット呼出の際に、該識別番号と一致する識別番号を有する放送を検索するためのものである。詳細には、この識別番号は、プリセット呼出の際に連続して２回以上同じプリセット番号が選択されたときに受信する放送を選択するために使用される。放送カテゴリ／放送局識別番号は、登録モードが放送カテゴリまたは放送局である場合のみ登録される。なお、付加情報が登録されていないプリセット番号（例えば、プリセット番号２）の登録モードには、未登録である旨が記録されている。
【００２８】
メモリ部１０には、下記表３に示す放送検索テーブルをさらに格納している。
【表３】
2007174141.tif 000005
【００２９】
放送検索テーブルは、連続して２回以上同じプリセット番号が選択されたか否かを判断し、連続して２回以上同じプリセット番号が選択されたときに受信すべき放送を検索するために使用されるテーブルである。放送検索テーブルは、直前にプリセット呼出のために選択されたプリセット番号と、現在受信している放送の放送テーブル番号とを含む。プリセット番号を放送検索テーブルに登録しておくことにより、選択されたプリセット番号が前回選択されたプリセット番号と同じであるか、つまり、同一のプリセット番号が連続して選択されたかを判断できる。さらに、放送テーブル番号を放送検索テーブルに登録しておくことにより、同一のプリセット番号が連続して選択された場合に、放送テーブルに登録された放送の中で次に検索すべき放送（現在受信されている放送の次の放送）を判断できる。
【００３０】
表示部４は、現在受信している放送の付加情報（例えば、放送名等）を表示するものであり、例えば、ＬＣＤ等である。
【００３１】
入力部５は、ユーザからの指示を受け付けて、マイコン処理部３にユーザ指示を伝達するものであり、操作キーまたはリモコン等である。入力部５は、例えば、プリセット登録キー、プリセット削除キー、プリセット呼出キー（プリセット番号に対応した数字１〜５キー）、チューニング（アップ、ダウン）キー等を含む。
【００３２】
以上の構成を有する受信装置１について、その動作を説明する。図３は、放送テーブルの作成処理を示す図である。マイコン処理部３は、図示しない電源回路がオン状態になったと判断すると、受信可能な全放送に関する付加情報をチューナ部２から受信して、表１に示す放送テーブルに登録する。詳細には、マイコン処理部３は、放送識別番号、放送名、放送カテゴリ識別番号、放送カテゴリ名、放送局識別番号、および放送局名を放送テーブルに登録する（Ｓ３０１）。例えば、各放送がニュース、スポーツなどの専門チャンネルである場合、放送テーブルに登録された付加情報は頻繁には変更されないので、マイコン処理部３は起動時のみに放送テーブルを作成するようにしている。
【００３３】
次に、図４を参照して、プリセットテーブルへのプリセット登録処理を説明する。マイコン処理部３は、放送を受信中に、ユーザによってプリセット登録指示が入力された（プリセット登録キーが押された）場合（Ｓ４０１：ＹＥＳ）、ユーザに登録モードを選択させる（Ｓ４０２）。すなわち、マイコン処理部３は、表示部４に登録モードとして放送、放送カテゴリ、放送局を表示して、この中からどの登録モードでプリセット登録するかを、入力部５を介してユーザに入力させる。なお、プリセット登録キーが押されたとき、どのプリセット番号にプリセット登録するかがユーザによって選択される。その際に、プリセット処理部９は登録モードが未登録となっているプリセット番号を検索して表示部４に表示することにより、ユーザは未登録のプリセット番号を容易に把握できる。
【００３４】
まず、登録モードとして放送が選択された場合（Ｓ４０２：放送）、プリセット処理部９は、プリセットテーブルの該当するプリセット番号に対して、現在受信している放送に関する付加情報を、放送テーブルを参照して登録する（Ｓ４０３）。具体的には、プリセット処理部９は、登録モードの項目に「放送」と登録し、キーワードの項目に現在受信している放送の放送名を登録し、放送識別番号の項目に現在受信している放送の放送識別番号を登録する。放送カテゴリ／放送局識別番号の項目には何も登録されない。例えば、表１〜２において、Ｃ放送を受信中に、プリセット番号３にプリセット登録する場合、プリセット番号３のキーワードにはＣ放送、放送識別番号には１０２が登録される。
【００３５】
次に、登録モードとして放送カテゴリが選択された場合（Ｓ４０２：放送カテゴリ）、プリセット処理部９は、プリセットテーブルの該当するプリセット番号に対して、現在受信している放送に関する付加情報を、放送テーブルを参照して登録する（Ｓ４０４）。具体的には、プリセット処理部９は、登録モードの項目に「放送カテゴリ」と登録し、キーワードの項目に現在受信している放送の放送カテゴリ名を登録し、放送識別番号の項目に現在受信している放送の放送識別番号を登録し、放送カテゴリ／放送局識別番号の項目に現在受信している放送の放送カテゴリ識別番号を登録する。例えば、表１〜２において、Ｄ放送を受信中に、プリセット番号４にプリセット登録する場合、プリセット番号４のキーワードにはニュース、放送識別番号には１０３、放送カテゴリ識別番号には１が登録される。
【００３６】
次に、登録モードとして放送局が選択された場合（Ｓ４０２：放送局）、プリセット処理部９は、プリセットテーブルの該当するプリセット番号に対して、現在受信している放送に関する付加情報を、放送テーブルを参照して登録する（Ｓ４０５）。具体的には、プリセット処理部９は、登録モードの項目に「放送局」と登録し、キーワードの項目に現在受信している放送の放送局名を登録し、放送識別番号の項目に現在受信している放送の放送識別番号を登録し、放送カテゴリ／放送局識別番号の項目に現在受信している放送の放送局識別番号を登録する。例えば、表１〜２において、Ｂ放送を受信中に、プリセット番号５にプリセット登録する場合、プリセット番号５のキーワードにはＡＡＡ放送局、放送識別番号には１０１、放送局識別番号には１０が登録される。
【００３７】
以上の処理によって現在受信している放送に関する付加情報をプリセット情報としてプリセットテーブルに登録することができる。複数のプリセット番号に、同一の放送を元に、登録モードを変更して複数のプリセット情報を登録してもよい。
【００３８】
次に、図５を参照してプリセット呼出処理について説明する。まず、ユーザがプリセット呼出キーを１回目押した場合の処理を説明する。マイコン処理部３は、ユーザによってプリセット呼出指示が入力された（プリセット呼出キー（数字キー１〜５のいずれか）が押された）場合（Ｓ５０１：ＹＥＳ）、押されたキーに対応するプリセット番号の登録モードが未登録になっているか否かを判断する（Ｓ５０２）。選択されたプリセット番号に付加情報が登録されており、登録モードが未登録でない場合（Ｓ５０２：ＮＯ）、プリセット処理部９は、選択されたプリセット番号と、放送検索テーブルに登録されているプリセット番号とが一致するか否かを判断する（Ｓ５０３）。１回目のプリセット呼出であり、放送検索テーブルには何も登録されていないので、Ｓ５０３でＮＯと判断される。
【００３９】
マイコン処理部３は、プリセットテーブルの中から、選択されたプリセット番号に対応する放送識別番号を読み出して（Ｓ５０４）、読み出した放送識別番号の放送を受信するようチューナ部２を制御する（Ｓ５０５）。例えば、表１〜３において、プリセット番号４が１回目選択された場合、プリセットテーブルを参照して、放送識別番号１０３であるＤ放送が受信される。チューナ部２は、マイコン処理部３からの指示に基づいて選択された放送を受信する。次に、プリセット処理部９は、放送検索テーブルに選択されたプリセット番号を登録する（Ｓ５０６）。また、選択されたプリセット番号の登録モードが放送カテゴリまたは放送局である場合には、放送検索テーブルの放送テーブル番号に、現在受信している放送の放送テーブル番号を登録する（Ｓ５０６）。連続して同じプリセット番号が選択された場合に、放送を検索するためである。
【００４０】
以上のようにプリセット呼出キーが１回目に押された場合には、プリセットテーブルに登録されている放送識別番号に従って放送が検索される。その結果、プリセット登録時に受信していた放送を検索して受信することができる。
【００４１】
なお、プリセット呼出キーが２回以上押された場合であって、前回と異なるプリセット番号が選択された場合には、Ｓ５０３で、プリセット処理部９は、選択されたプリセット番号と放送検索テーブルに登録されているプリセット番号とが異なると判断し、上記と同様に、プリセットテーブルに登録されている放送識別番号に従って放送が選択され、プリセット登録時に受信していた放送を受信する。
【００４２】
次に、同一のプリセット番号が連続して選択された場合の２回目以降のプリセット呼出処理を説明する。同一のプリセット番号が連続して選択された場合には、放送カテゴリ／放送局識別番号が一致する放送が放送テーブルに登録された順番に受信される。Ｓ５０３において、プリセット処理部９は、選択されたプリセット番号が放送検索テーブルに登録されているプリセット番号に一致すると判断する（Ｓ５０３：ＹＥＳ）。プリセット処理部９は、選択されたプリセット番号に対応するプリセットテーブルの登録モードを確認する（Ｓ５０７）。
【００４３】
まず、登録モードが放送カテゴリである場合（Ｓ５０７で放送カテゴリ）、プリセット処理部９は、プリセットテーブルの中から、選択されたプリセット番号に対応する放送カテゴリ識別番号を読み出す（Ｓ５０８）。プリセット処理部９は、放送テーブルを参照して、プリセットテーブルから読み出した放送カテゴリ識別番号と一致する放送カテゴリ識別番号を有する放送を検索する（Ｓ５０９）。このとき、プリセット処理部９は、放送検索テーブルの放送テーブル番号の項目に登録されている放送テーブル番号から検索を開始し、当該放送テーブル番号の次に放送カテゴリ識別番号が一致する放送を検索する。従って、現在または直近に受信した放送とは異なる放送を選択して受信することができる。例えば、表１〜３において、プリセット番号４が２回連続して選択されたときについて説明する。１回目プリセット番号４が選択された結果、放送検索テーブルのプリセット番号に４、放送テーブル番号に４が登録される。その結果、２回目プリセット番号４が選択されたとき、放送カテゴリ識別番号が１（放送カテゴリがニュース）であり、かつ、放送テーブル番号が４の次の放送、すなわち、Ａ放送（放送テーブル番号１、放送識別番号１００）が検索によって選択される。
【００４４】
該当する放送を発見できた場合、マイコン処理部３は、Ｓ５０９で検索した放送の放送識別番号を放送テーブルから読み出して、読み出した放送識別番号の放送を受信するようにチューナ部２に指示する（Ｓ５０５）。チューナ部２は、マイコン処理部３からの指示に基づいて選択された放送を受信する。プリセット処理部９は、放送テーブル番号を現在受信している放送の放送テーブル番号に変更する（Ｓ５０６）。以上のように、同一のプリセット番号が連続して選択された場合には、選択される度に、放送カテゴリ識別番号が一致する放送が、放送テーブルの中から順次選択されて受信される。
【００４５】
次に、登録モードが放送局である場合（Ｓ５０７で放送局）、プリセット処理部９は、プリセットテーブルの中から、選択されたプリセット番号に対応する放送局識別番号を読み出す（Ｓ５１０）。プリセット処理部９は、放送テーブルを参照して、プリセットテーブルから読み出した放送局識別番号と一致する放送局識別番号を有する放送を検索する（Ｓ５１１）。このとき、プリセット処理部９は、放送検索テーブルの放送テーブル番号の項目に登録されている放送テーブル番号から検索を開始し、当該放送テーブル番号の次に放送局識別番号が一致する放送を検索する。例えば、表１〜３において、プリセット番号５が２回連続して選択されたときについて説明する。１回目プリセット番号５が選択された結果、放送検索テーブルのプリセット番号に５、放送テーブル番号に２が登録される。２回目プリセット番号５が選択されたとき、放送局識別番号が１０（放送局がＡＡＡ放送局）であり、かつ、放送テーブル番号が２の次の放送、すなわち、Ｃ放送（放送テーブル番号３、放送識別番号１０２）が検索によって選択される。
【００４６】
該当する放送を発見できた場合、マイコン処理部３は、Ｓ５１１で検索した放送の放送識別番号を放送テーブルから読み出して、読み出した放送識別番号の放送を受信するようにチューナ部２を制御する（Ｓ５０５）。チューナ部２は、マイコン処理部３からの指示に基づいて選択された放送を受信する。プリセット処理部９は、放送テーブル番号を現在受信している放送の放送テーブル番号に変更する（Ｓ５０６）。以上のように、同一のプリセット番号が連続して選択された場合には、放送局識別番号が一致する放送が、放送テーブルの中から順次選択されて受信される。
【００４７】
次に、登録モードが放送である場合（Ｓ５０７で放送）、マイコン処理部３は、選択されたプリセット番号に該当する放送識別番号をプリセットテーブルから読み出して（Ｓ５０４）、読み出した放送識別番号の放送を受信するようチューナ部２を制御する（Ｓ５０５）。チューナ部２は、マイコン処理部３からの指示に基づいて選択された放送を受信する。この場合、同一のプリセット番号が連続で選択された場合でも、受信する放送は変更されない。
【００４８】
以上の処理によって、ユーザはプリセット番号を選択するだけで、受信装置１は所望の放送を検索して受信することができる。放送カテゴリとしてニュースがプリセット登録されている場合には、プリセット呼出キーを押すたびに、ニュースの放送が順次選択して受信される。
【００４９】
なお、プリセットテーブルの登録内容を削除する場合には、図６に示すとおり、削除するプリセット番号が選択されたあと、プリセット削除キーが押されることにより、該当するプリセット番号の各項目が削除されて、登録モードに未登録である旨が記録される（Ｓ６０１）。
【００５０】
また、別の実施形態として、図５を参照して、同一のプリセット番号が連続して２回以上押されたとき（Ｓ５０３：ＹＥＳ）、Ｓ５０６においてプリセットテーブルの放送識別番号の項目に、Ｓ５０９またはＳ５１１で読み出した放送識別番号を上書きするようにしてもよい。この場合、次にプリセット番号が１回目に押された場合に、最初に受信される放送として、前回受信した放送を選択することが可能になる。
【００５１】
以上のように、本実施形態によれば、ある放送を受信中にプリセット登録指示が入力されると、ユーザからの入力に応答して登録モードが選択され、登録モードと、該登録モードに対応する付加情報とがプリセットテーブルに登録される。プリセット呼出のためにプリセット番号が選択されると、プリセットテーブルに登録された付加情報と一致する付加情報を有する放送が自動的に選択される。プリセット登録時に選択された登録モードに対応する１つの付加情報のみがプリセットテーブルに登録されるので、プリセット呼出時に登録モードを選択する必要がなく、プリセット番号を選択するだけで容易に所望の放送を検索することができる。また、放送テーブルから所望の放送を検索する際に、識別番号同士を比較するので、従来のように大文字、小文字等の違いによって所望の放送が検索できないという問題が解消される。
【００５２】
以上、本発明の好ましい実施形態を説明したが、本発明はこれらの実施形態には限定されない。例えば、１回目にプリセット番号が選択された場合に、プリセットテーブルの放送カテゴリ識別番号を読み出して、放送テーブルの中から放送カテゴリ識別番号が一致する放送を選択してもよい。この場合、放送カテゴリ識別番号が一致する放送のうち、放送テーブルの最初に登録されている放送が検索される。さらに、付加情報は実施形態のものに限定されず、例えば、放送言語、放送地域等も放送カテゴリと同様に扱うことができる。また、本実施形態では、放送がチャンネルやサービス単位である場合を説明したが、放送が１つのチャンネル内で放送される番組単位であってもよい。この場合、放送テーブルを定期的に（例えば、３０分毎）に書き換えること、および、放送テーブルの放送の項目が番組単位であることによって上記と同じ処理が実現可能である。さらに、本発明は、上記の受信装置を動作させるためのコンピュータプログラムまたはそのコンピュータプラグラムを記録した記録媒体という形態で提供されてもよい。
【産業上の利用可能性】
【００５３】
本発明は、デジタルラジオ放送（地上波、または衛星）またはデジタルテレビ放送（地上波、または衛星）の受信装置に好適に適用され得る。例えば、ＤＡＢの他に、ＩＳＤＢ−Ｔ、ＨＤ  Ｒａｄｉｏ、ＳＩＲＩＵＳ、ＸＭ、ＤＲＭ等に適用できる。
【図面の簡単な説明】
【００５４】
【図１】本発明の好ましい実施形態による受信装置１の構成を示すブロック図である。
【図２】主情報および付加情報を含む放送データを示す図である。
【図３】放送テーブルの登録処理を示すフローチャートである。
【図４】プリセットテーブルの登録処理を示すフローチャートである。
【図５】プリセット呼出処理を示すフローチャートである。
【図６】プリセットテーブルの削除処理を示すフローチャートである。
【符号の説明】
【００５５】
１          受信装置
２          チューナ部
３          マイコン処理部
４          表示部
５          入力部
９          プリセット処理部
１０        メモリ部
【図１】
2007174141.tif 000006
【図２】
2007174141.tif 000007
【図３】
2007174141.tif 000008
【図４】
2007174141.tif 000009
【図５】
2007174141.tif 000010
【図６】
2007174141.tif 000011